(57)【特許請求の範囲】
【請求項１】
時計外装に嵌め込まれる時計本体における前板と裏蓋との嵌合構造であって、
前記裏蓋は、その外周に設けられて前記前板の方向に突出する突出部と、前記裏蓋の外周方向に突出する弾性部材と、をそれぞれ有し、
前記前板は、前記裏蓋が取り付けられる開口周縁に設けられて切欠口に差し込まれた前記突出部が回転方向に嵌合する切欠嵌合部と、前記開口周縁に設けられて前記裏蓋を開閉するときに前記弾性部材がそれぞれ当接する第１及び第２の斜面と、を有し、
前記前板の開口周縁には、前記裏蓋が閉状態及び開状態になったときに、前記弾性部材がそれぞれ収まる第１及び第２の切欠部が設けられており、
前記第１及び第２の斜面は、前記第１及び第２の切欠部の間に設けられた隔壁部の内面に設けられていることを特徴とする時計本体における前板と裏蓋との嵌合構造。
【請求項２】
時計外装に嵌め込まれる時計本体における前板と裏蓋との嵌合構造であって、
前記裏蓋は、その外周に設けられて前記前板の方向に突出する突出部と、前記裏蓋の外周方向に突出する弾性部材と、をそれぞれ有し、
前記前板は、前記裏蓋が取り付けられる開口周縁に設けられて切欠口に差し込まれた前記突出部が回転方向に嵌合する切欠嵌合部と、前記開口周縁に設けられて前記裏蓋を開閉するときに前記弾性部材がそれぞれ当接する第１及び第２の斜面と、を有し、
前記弾性部材は山形に屈曲する板バネからなり、前記裏蓋を閉めるときに前記板バネが前記第２の斜面に略線接触し、前記裏蓋を開けるときに前記板バネが前記第１の斜面に略面接触することを特徴とする時計本体における前板と裏蓋との嵌合構造。
【請求項３】
前記弾性部材は山形に屈曲する板バネからなり、前記裏蓋を閉めるときに前記板バネが前記第２の斜面に略線接触し、前記裏蓋を開けるときに前記板バネが前記第１の斜面に略面接触することを特徴とする請求項１記載の時計本体における前板と裏蓋との嵌合構造。
【請求項４】
前記第２の斜面は前記板バネの頂点付近が当接する緩い傾斜に形成され、前記第１の斜面は前記板バネの外面が当接する急な傾斜に形成されていることを特徴とする請求項２又は３記載の時計本体における前板と裏蓋との嵌合構造。
【発明の詳細な説明】
【技術分野】
【０００１】
本発明は、時計外装に嵌め込まれる時計本体に関するものであり、特に、前板と裏蓋との嵌合構造に関するものである。
【背景技術】
【０００２】
一般に、ムーブメントが収められた時計本体の前板や胴に取り付けられる裏蓋は、ネジ込みや圧入等によって取り付けられているが、電池交換を容易にするため、裏蓋に設けた突出部を前板や胴に設けた切欠部に挿入して回転させることで係合させるバヨネット等の嵌合構造を用いたものもあった（例えば、特許文献１参照）。
【０００３】
上記のような従来の嵌合構造においては、図１６に示すように、前板２等に設けられた切欠口４ａから裏蓋の回転方向に切欠部４が形成されていた。裏蓋に設けられた突出部６は、切欠口４ａから切欠部４内に嵌め込まれ、裏蓋を回転させることで切欠部４の先端方向に移動する。この構造において、裏蓋が閉じた状態を強固に保持すると共に閉めた状態の確認が可能なように、切欠部４がその先端に向かって細くなるように形成して、突出部６が先端方向に移動すると切欠部４内に嵌まり込むように構成することがあった。
【０００４】
また、図１７に示すように、切欠部４の内面に凸部４ｂを設け、突出部６が凸部４ｂを乗り越えるクリック感で裏蓋が閉じたことが分かるように構成することもあった。
【特許文献１】実公昭６２−２１９９１号公報
【発明の開示】
【発明が解決しようとする課題】
【０００５】
上記従来技術において、図１６及び図１７に示すように構成すると、裏蓋を開閉するときの感触によって、裏蓋を確実に閉じることができるようになる。しかしながら、突出部６が切欠部４の内面や凸部４ｂに擦り付けられることで摩耗してガタが生じたり、無理な力で操作することで突出部６だけでなく切欠部４の内面や凸部４ｂを破損することがあった。
【０００６】
本発明が解決しようとする課題は、上記従来技術の問題点を解決し、長期にわたって安定した操作感を得ることができ、回し過ぎによる破損のおそれがない時計本体における前板と裏蓋との嵌合構造を提供することにある。
【課題を解決するための手段】
【０００７】
本発明の時計本体における前板と裏蓋との嵌合構造は、時計外装に嵌め込まれる時計本体における前板と裏蓋との嵌合構造であって、前記裏蓋が、その外周に設けられて前記前板の方向に突出する突出部と、前記裏蓋の外周方向に突出する弾性部材と、をそれぞれ有し、前記前板が、前記裏板が取り付けられる開口周縁に設けられて切欠口に差し込まれた前記突出部が回転方向に嵌合する切欠嵌合部と、前記開口周縁に設けられて前記裏蓋を開閉するときに前記弾性部材がそれぞれ当接する第１及び第２の斜面とを有するものとなっている。この嵌合構造における前記前板の開口周縁には、前記裏蓋が閉状態及び開状態になったときに、前記弾性部材がそれぞれ収まる第１及び第２の切欠部が設けられており、前記第１及び第２の斜面が、前記第１及び第２の切欠部の間に設けられた隔壁部の内面に設けられている。また、前記弾性部材は山形に屈曲する板バネからなり、前記裏蓋を閉めるときに前記板バネが前記第２の斜面に略線接触し、前記裏蓋を開けるときに前記板バネが前記第１の斜面に略面接触する。また、前記第２の斜面は前記板バネの頂点付近が当接する緩い傾斜に形成され、前記第１の斜面は前記板バネの外面が当接する急な傾斜に形成されている。
【発明の効果】
【０００８】
本発明の時計本体における前板と裏蓋との嵌合構造においては、裏蓋の突出部を前板の切欠嵌合部に嵌脱することで裏蓋を着脱し、裏蓋の弾性部材と前板の第１及び第２の斜面が当接することで裏蓋の開閉操作感が得られるものとなっている。これにより、切欠嵌合部内を先端に向かって細くしたり凸部を設けて、突出部を押し込んだり乗り越えるように構成して開閉操作感を出す必要がなくなる。このため、突出部や切欠嵌合部が大きく摩耗することがなく、長期間にわたって安定した開閉操作感を得ることができる。また、常に安定した一定の開閉操作感が得られるので、無理な力で裏蓋を操作することを防ぐことができる。
【０００９】
また、前板には、裏蓋を開閉したときに弾性部材が落ち込んで収まる第１および第２の切欠部が設けられているので、弾性部材が第１および第２の切欠部に収まったときの感触により、裏蓋の開閉状態を明確に知らせることができる。これにより、開閉時に裏蓋を回し過ぎて破損することを防ぐことができる。
【００１０】
また、本発明においては、弾性部材として山形に屈曲する板バネを用いており、この板バネが開閉時に第１及び第２の斜面にそれぞれ面接触及び線接触するように設定している。このため、開閉時の操作感が変わり、閉めるときには軽く、開くときには重く設定することができる。これにより、操作し易く且つ簡単に開くことがない前板と裏蓋の嵌合構造を提供することができる。
【発明を実施するための最良の形態】
【００１１】
本発明の時計本体における裏蓋には、その外周に前板の方向に突出する突出部が設けられると共に、外周方向に突出する弾性部材が設けられている。前板には、その開口周縁に、裏蓋の突出部が適合する切欠口が設けられた切欠嵌合部が設けられると共に、裏蓋の開閉時に弾性部材がそれぞれ当接する第１及び第２の斜面が設けられている。この前板に裏蓋を取り付けて閉じるには、裏蓋の突出部を前板の切欠嵌合部にその切欠口から差し込み、裏蓋を回転させて突出部を切欠嵌合部内に移動させて閉じる。このときに、弾性部材は、第２の斜面に当接しながら移動し、裏蓋を閉めるときの操作感を生じさせることになる。また、裏蓋を開くには、裏蓋を反対方向に回転させて突出部を切欠嵌合部の切欠口の方向へ移動させて切欠口から外すことで開く。このときに、弾性部材は、第１の斜面に当接しながら移動し、裏蓋を開けるときの操作感を生じさせる。
【００１２】
また、前板には、裏蓋が閉状態及び開状態になったときに、弾性部材が収まる第１及び第２の切欠部が設けられており、開閉時に弾性部材が第１及び第２の切欠部にそれぞれ収まることで開状態又は閉状態の感触を出すと共に、所定の力で裏蓋を回転させるまでそれぞれの状態を保持するものとなっている。
【実施例】
【００１３】
以下図面に基づいて本発明の一実施例を説明する。図１は本発明の一実施例に係る時計を示す正面図、図２はその裏蓋を透視して要部を示した背面透視図、図３は図２に示す時計の時計本体の要部を示す要部断面図、図４は図２に示す時計の時計本体と時計外装との係合部分を示す要部断面図である。
【００１４】
本実施例における時計１０は、筒状の時計外装１２内に、風防１４と時計本体１６を背面側から順次嵌め込んだものとなっている。この時計本体１６は、裏蓋１８と、ムーブメント２０が内部に取り付けられた前板２２とから構成されている。図４に示すように、時計外装１２の開口内側の縁には凹部１２ａと凸部１２ｂが設けられており、前板２２の外周に設けられた凸部２２ｉとフック部２２ｊが凹部１２ａと凸部１２ｂにそれぞれ嵌合及び係合することで位置決めされて一体に嵌合している。
【００１５】
裏蓋１８は、図５乃至図７に示すように、その外周に前板２２の方向に突出する突出部１８ａを少なくとも２ヵ所に有している。この突出部１８ａは、略Ｌ字形の鉤状に形成されている。また、この裏蓋１８には、前板２２に面する内面１８ｂ上に弾性部材としての板バネ２４が取り付けられている。この板バネ２４は、山形に屈曲され、その頂点２４ａが裏蓋１８の外周方向に突出するように設置されている。本実施例における板バネ２４には、裏蓋１８の内面１８ｂに溶接、接着、ネジ止め等により取り付けるため折曲形成された取付部２４ｂが設けられている。また、裏蓋１８の外面側には、コイン等を挿入して裏蓋１８を回転させるための細長い操作溝１８ｃが設けられている。
【００１６】
前板２２は、図９乃至図１１に示すように、略筒状をなし、指針２６とムーブメント２０をそれぞれ収容するスペースの間に壁部２２ａを有している。この前板２２には、裏蓋１８が取り付けられる裏面側の開口周縁に、切欠嵌合部２２ｂが裏蓋１８の突出部１８ａに対応する位置に設けられている。この切欠嵌合部２２ｂは、突出部１８ａに適合する切欠口２２ｃを有し、略Ｌ形状をなすように、切欠口２２ｃから周方向に一様な幅で形成されている。また、前板２２の裏面側の開口周縁には、裏蓋１８の板バネ２４に対応する位置に第１及び第２の切欠部２２ｄ，２２ｅが設けられている。この第１及び第２の切欠部２２ｄ，２２ｅは、裏蓋１８が閉状態及び開状態になったときに、板バネ２４がそれぞれ収まるように形成されている。第１の切欠部２２ｄは板バネ２４にほぼ適合する開口幅に設定され、第２の切欠部２２ｅは板バネ２４よりも回転方向にわずかに大きい開口幅に設定されている。また、第１及び第２の切欠部２２ｄ，２２ｅの間には隔壁部２２ｆが設けられており、第１及び第２の切欠部２２ｄ，２２ｅにそれぞれ面する内面に第１及び第２の斜面２２ｇ，２２ｈが形成されている。この第１の斜面２２ｇは比較的急な傾斜に設定され、第２の斜面２２ｈは比較的緩い傾斜に設定されている。
【００１７】
次に、図２及び図１２乃至図１５に基づいて上記構成からなる前板２２と裏蓋１８との嵌合状態を説明する。はじめに、裏蓋１８を前板２２に嵌め込むには、図２及び図１２に示すように、裏蓋１８の突出部１８ａを前板の切欠口２２ｃに位置合わせして差し込む。このときに板バネ２４は、図２及び図１５に示すように、第２の切欠部２２ｅに収まる。この状態から裏蓋１８を回転させると、突出部１８ａは切欠嵌合部２２ｂの奥へ移動し、裏蓋１８が前板２２に嵌合する。このときに、板バネ２４は、隔壁部２２ｆを乗り越えて、図１３に示すように、第１の切欠部２２ｄに収まる。このようにして閉じた裏蓋１８を開くには、裏蓋１８を反対方向に回転させ、その突出部１８ａを切欠嵌合部２２ｂの奥から切欠口２２ｃの位置まで移動させる。この状態において裏蓋１８は開状態にあり、突出部１８ａを切欠口２２ｃから引き出して裏蓋１８を外すことができる状態になっている。
【００１８】
一方、上記のような裏蓋１８の開閉時に、板バネ２４は次のように作用する。図１３及び図１４に示すように、板バネ２４は、裏蓋１８が閉状態及び開状態になると、第１及び第２の切欠部２２ｄ，２２ｅにそれぞれ収まっている。ここで、閉状態にある裏蓋１８を開くために回転させると、図１３に示すように、板バネ２４は急な傾斜を有する第１の斜面２２ｇにその側面が面接触するように当接しながら隔壁部２２ｆに乗り上げてから乗り越える。このように第１の斜面２２ｇと板バネ２２が面接触すると、その間の抵抗は大きくなり、裏蓋１８を回転操作する感触は比較的重くなる。
【００１９】
また、図１４に示すように、開状態にある裏蓋１８を閉じるために回転させると、板バネ２４は緩やかな傾斜の第２の斜面２２ｈに頂点２４ａ付近が線接触するように当接しながら隔壁部２２ｆに乗り上げてから乗り越える。このように第２の斜面２２ｈに板バネ２４が線接触すると、その間の抵抗は小さくなり、裏蓋１８を回転操作する感触は比較的軽くなる。このように、使用者は、裏蓋１８の回転操作の重さから開閉の何れの状態になるかを感じ取ることができる。
【００２０】
更に、図１３に示すように、板バネ２４は、第１の切欠部２２ｄ内にほぼ隙間なく収まっているため、裏蓋１８はガタなく固定された状態になる。一方、図１４及び図１５に示すように、第２の切欠部２２ｅは周方向（裏蓋１８の回転方向）に関して板バネ２４よりもわずかに大きくなるように形成されているため、この第２の切欠部２２ｅに板バネ２４が収まっているときに裏蓋１８に板バネ２４の弾力が作用せず、わずかにガタを生じさせる状態になる。このため、使用者は、裏蓋１８が全く動かない又はわずかに動くという感触から、裏蓋１８が閉状態又は開状態にあることを判別することが可能となる。
【産業上の利用可能性】
【００２１】
本発明の前板と裏蓋との嵌合構造は、使用者が必要に応じて裏蓋を開閉する時計又は時計本体に用いることが最も有効であるが、その他、電池交換やメンテナンスが必要な各種機器の蓋や窓部に利用することもできる。
【図面の簡単な説明】
【００２２】
【図１】本発明の一実施例に係る時計を示す正面図である。
【図２】図１に示す時計の裏蓋を透視して要部を示した背面透視図である。
【図３】図２に示す時計の時計本体の要部を示す要部断面図である。
【図４】図２に示す時計の時計本体と時計外装との係合部分を示す要部断面図である。
【図５】図２等に示す裏蓋の外面側を示す裏蓋の背面図である。
【図６】図５に示す裏蓋の内面側を示す裏蓋の正面図である。
【図７】図５に示す裏蓋の突出部付近を示す拡大斜視図である。
【図８】図６に示す板バネの斜視図である。
【図９】図３等に示す前板の縦断面図である。
【図１０】図９に示す前板の背面側開口付近を周方向に切断した断面図である。
【図１１】図９に示す前板の切欠嵌合部付近を示す切断拡大斜視図である。
【図１２】図２等に示す突出部と切欠嵌合部との嵌合状態を示す説明図である。
【図１３】裏蓋が閉状態にあるときの板バネと第１及び第２の切欠部との状態を示す要部断面である。
【図１４】裏蓋が開状態にあるときの板バネと第１及び第２の切欠部との状態を示す要部断面である。
【図１５】裏蓋が閉状態にあるときの第２の切欠部内における板バネの状態を示す要部断面である。
【図１６】従来の嵌合構造を示す説明図である。
【図１７】従来の他の嵌合構造を示す説明図である。
【符号の説明】
【００２３】
２      前板
４      切欠部
４ａ    切欠口
６      突出部
１０    時計
１２    時計外装
１２ａ  凹部
１２ｂ  凸部
１４    風防
１６    時計本体
１８    裏蓋
１８ａ  突出部
１８ｂ  内面
１８ｃ  操作溝
２０    ムーブメント
２２    前板
２２ａ  壁部
２２ｂ  切欠嵌合部
２２ｃ  切欠口
２２ｄ  第１の切欠部
２２ｅ  第２の切欠部
２２ｆ  隔壁部
２２ｇ  第１の斜面
２２ｈ  第２の斜面
２２ｉ  凸部
２２ｊ  フック部
２４    板バネ
２４ａ  頂点
２４ｂ  取付部
２６    指針
【図１】
0004993210.tif 000002
【図２】
0004993210.tif 000003
【図３】
0004993210.tif 000004
【図４】
0004993210.tif 000005
【図５】
0004993210.tif 000006
【図６】
0004993210.tif 000007
【図７】
0004993210.tif 000008
【図８】
0004993210.tif 000009
【図９】
0004993210.tif 000010
【図１０】
0004993210.tif 000011
【図１１】
0004993210.tif 000012
【図１２】
0004993210.tif 000013
【図１３】
0004993210.tif 000014
【図１４】
0004993210.tif 000015
【図１５】
0004993210.tif 000016
【図１６】
0004993210.tif 000017
【図１７】
0004993210.tif 000018